(57)【要約】【課題】  商品が見易く、かつ嵩張ることなく、しかも軽量な商品陳列用トレーを提供すること。【解決手段】  熱可塑性樹脂発泡シートを熱成形することによって矩形に形成された商品陳列用トレー１であって、その底壁の後部に脚部６を形成し、底壁４ａ，４ｂを傾斜させた状態で陳列台２０に着座させるようにしたことを特徴とする。【選択図】        図２
0003115032.tif 000002
【実用新案登録請求の範囲】
【請求項１】
熱可塑性樹脂発泡体によって矩形状に形成され、底壁の後部に脚部を備え、底壁を傾斜させた状態で陳列台に着座させるようにしたことを特徴とする、商品陳列用トレー。
【請求項２】
前記底壁の縦方向中間部に、補助脚部を形成したことを特徴とする、請求項１に記載の商品陳列用トレー。
【請求項３】
前記底壁の後部に、幅方向ほぼ全幅に亘る凹部を形成したことを特徴とする、請求項１又は２に記載の商品陳列用トレー。
【請求項４】
前記底壁の縦方向中間部に、幅方向ほぼ全幅に亘る凹部を形成したことを特徴とする、請求項１〜３のいずれかに記載の商品陳列用トレー。
【請求項５】
前記凹部が、底壁の下方に突出することにより前記脚部を構成していることを特徴とする、請求項３又は４に記載の商品陳列用トレー。
【請求項６】
周壁が、前記底壁の周縁から外方へ拡がるように傾斜して形成されていることを特徴とする、請求項１〜５のいずれかに記載の商品陳列用トレー。
【請求項７】
前記底壁の縦方向中間部に、幅方向に延びる段壁を形成し、該段壁によって前後に商品収容部を分割形成すると共に、段壁の上端辺に、前部商品収容部における底壁の後端辺を連続させ、段壁の下端辺に、後部商品収容部における底壁の前端辺を連続させ、前部及び後部の底壁を、いずれも後方に行くに従って浅くなるように、かつそれらの底壁が平行となるように形成したことを特徴とする、請求項１〜６のいずれかに記載の商品陳列用トレー。
【請求項８】
前記熱可塑性樹脂発泡体が、ポリスチレン系樹脂発泡シート成形体であることを特徴とする、請求項１〜７のいずれかに記載の商品陳列用トレー。
【請求項９】
前記熱可塑性樹脂発泡体が、熱可塑性樹脂フィルムを少なくとも上面に積層接着した熱可塑性樹脂発泡シート成形体であることを特徴とする、請求項１〜８のいずれかに記載の商品陳列用トレー。
【請求項１０】
前記熱可塑性樹脂発泡体が、厚み１．３〜４ｍｍ、坪量１３０〜２８０ｇ／ｍ2であることを特徴とする、請求項１〜９のいずれかに記載の商品陳列用トレー。
【請求項１１】
短辺の長さが２０〜４０ｃｍ、長辺の長さが２５〜６０ｃｍの矩形状であることを特徴とする、請求項１〜１０のいずれかに記載の商品陳列用トレー。
【考案の詳細な説明】
【技術分野】
【０００１】
本考案は、商品陳列用トレーに関するもので、特には、串に刺した団子、焼き鳥などの長尺な商品を縦に並べて陳列するのに適した、商品陳列用トレーに関するものである。
【背景技術】
【０００２】
傾斜した底壁を形成し、該底壁に商品を陳列するようにした商品陳列用トレーは存在する（例えば、特許文献１）。
かかる特許文献１に記載された商品陳列用トレーは、ハイインパクトスチロールを素材として、平面方形の底部と、この底部の周縁に連設起立させた側壁部とから構成され、底部には、幅方向に延設された復数段の横仕切りが形成され、この横仕切りによって寿司ネタなどを載置する平面方形の載置部が形成され、これら各載置部は前方が低く、後方が高い状態の傾斜面となっている。
【０００３】
【特許文献１】実開平６−３００１３号公報（図１及び図２参照）
【考案の開示】
【考案が解決しようとする課題】
【０００４】
しかしながら、上記特許文献１に記載された商品陳列用トレーが、水平な陳列台にじかに配置された場合には、傾斜面を有しているものの、その傾斜は緩いため、商品が見づらくなる。
また、このトレーの載置部の角度を急傾斜にした場合には、側壁部の高さを相当に高くしなくてはならず、嵩張り、材質も相まって重量も増大する。
更に、商品を縦方向に数段に陳列するべく、載置部を縦方向に仕切っているため、後方に陳列した商品が、前方に配置した商品に邪魔されて見づらくなってしまう。
【０００５】
本考案は、上述した背景技術が有する課題に鑑みてなされたものであって、その目的は、商品が見やすく、かつ嵩張ることがなく、しかも軽量な商品陳列用トレーを提供することにある。
【課題を解決するための手段】
【０００６】
上記した目的を達成するため、請求項１の商品陳列用トレーは、熱可塑性樹脂発泡体によって矩形状に形成され、底壁の後部に脚部を備え、底壁を傾斜させた状態で陳列台に着座させるようにしたことを特徴とする。
【０００７】
また、請求項２の商品陳列用トレーは、上記請求項１の考案において、上記底壁の縦方向中間部に、補助脚部を形成したことを特徴とする。
【０００８】
また、請求項３の商品陳列用トレーは、上記請求項１又は２の考案において、上記底壁の後部に、幅方向ほぼ全幅に亘る凹部を形成したことを特徴とする。
ここで、幅方向ほぼ全幅に亘るとは、幅方向の長さには満たない長さであることを指すのみではなく、幅方向に断続的に形成されている場合をも含む概念である。
【０００９】
また、請求項４の商品陳列用トレーは、上記請求項１〜３のいずれかの考案において、上記底壁の縦方向中間部に、幅方向ほぼ全幅に亘る凹部を形成したことを特徴とする。
ここで言う、幅方向ほぼ全幅に亘るも、上記と同様の概念である。
【００１０】
また、請求項５の商品陳列用トレーは、上記請求項３又は４の考案において、上記凹部が、底壁の下方に突出することにより上記脚部を構成していることを特徴とする。
【００１１】
また、請求項６の商品陳列用トレーは、上記請求項１〜５のいずれかの考案において、周壁が、上記底壁の周縁から外方へ拡がるように傾斜して形成されていることを特徴とする。
【００１２】
また、請求項７の商品陳列用トレーは、上記請求項１〜６のいずれかの考案において、上記底壁の縦方向中間部に、幅方向に延びる段壁を形成し、該段壁によって前後に商品収容部を分割形成すると共に、段壁の上端辺に、前部商品収容部における底壁の後端辺を連続させ、段壁の下端辺に、後部商品収容部における底壁の前端辺を連続させ、前部及び後部の底壁を、いずれも後方に行くに従って浅くなるように、かつそれらの底壁が平行となるように形成したことを特徴とする。
【００１３】
また、請求項８の商品陳列用トレーは、上記請求項１〜７のいずれかの考案において、上記熱可塑性樹脂発泡体が、ポリスチレン系樹脂発泡シート成形体であることを特徴とする。
【００１４】
また、請求項９の商品陳列用トレーは、上記請求項１〜８のいずれかの考案において、上記熱可塑性樹脂発泡体が、熱可塑性樹脂フィルムを少なくとも上面に積層接着した熱可塑性樹脂発泡シート成形体であることを特徴とする。
【００１５】
また、請求項１０の商品陳列用トレーは、上記請求項１〜９のいずれかの考案において、上記熱可塑性樹脂発泡体が、厚み１．３〜４ｍｍ、坪量１３０〜２８０ｇ／ｍ2であることを特徴とする。
【００１６】
また、請求項１１の商品陳列用トレーは、上記請求項１〜１０のいずれかの考案において、短辺の長さが２０〜４０ｃｍ、長辺の長さが２５〜６０ｃｍの矩形状であることを特徴とする。
【考案の効果】
【００１７】
上記した請求項１の本考案に係る商品陳列用トレーによれば、発泡樹脂によって形成されているので、清潔であるとともに軽量であり、脚によって陳列台に対して適宜な傾斜をもって商品が陳列されるので、商品が見やすい商品陳列用トレーとなる。また、廃棄、リサイクル性にも優れるものである。
【００１８】
また、上記した請求項２の本考案に係る商品陳列用トレーによれば、補助脚部の存在によって、中間部の撓みが防止され、形状安定性に優れた商品陳列用トレーとなる。
【００１９】
更に、上記した請求項３の本考案に係る商品陳列用トレーによれば、底壁に並べた商品を凹部に位置する部分で摘んで取出すことができ、商品の取出しが容易となると共に、幅方向ほぼ全幅に亘る凹部の存在によって、底壁後部の剛性が向上したものとなる。
【００２０】
また、上記した請求項４の本考案に係る商品陳列用トレーによれば、やはり、底壁に並べた商品を凹部に位置する部分で摘んで取出すことができ、商品の取出しが容易となると共に、幅方向ほぼ全幅に亘る凹部の存在によって、底壁中間部の剛性が向上したものとなる。
【００２１】
また、上記した請求項５の本考案に係る商品陳列用トレーによれば、上記した作用効果を奏する凹部が脚部を兼ねているので、形状が単純となり、成形も容易となり、トレーの陳列台への載置安定性にも優れた商品陳列用トレーとなる。
【００２２】
また、上記した請求項６の本考案に係る商品陳列用トレーによれば、側壁が外方に傾斜しているので、側部に位置する商品の取出しも容易であり、重ねて保管する場合にも、上位のトレーの下部が下位のトレー内に収容されるため、嵩張ることがない商品陳列用トレーとなる。
【００２３】
また、上記した請求項７の本考案に係る商品陳列用トレーによれば、底壁が区画されているので、商品の陳列性が向上すると共に、各区画された底壁が各々前方に傾斜しているので、後ろに位置する商品も見やすい商品陳列用トレーとなる。
【００２４】
更に、上記した請求項８の本考案に係る商品陳列用トレーによれば、ポリスチレン系樹脂発泡シート成形体で形成されているので、比較的安価であり、かつ成形性が良好であり、しかも特に軽量で十分な強度を有する商品陳列用トレーとなる。
【００２５】
また、上記した請求項９の本考案に係る商品陳列用トレーによれば、上面に積層接着した熱可塑性樹脂フィルムの存在により、意匠性に優れ、さらに耐油性、耐熱性、剛性等に優れたものとすることができ、かつ洗浄が容易になり、繰り返し使用も十分可能な商品陳列用トレーとなる。
【００２６】
また、上記した請求項１０の本考案に係る商品陳列用トレーによれば、軽量性と、適度な強度を兼ね備えた、商品陳列用トレーとなる。
【００２７】
また、上記した請求項１１の本考案に係る商品陳列用トレーは、軽量性と適度な強度を兼備させることが難しい、短辺の長さが２０〜４０ｃｍ、長辺の長さが２５〜６０ｃｍとかなり大型のトレーにおいて、上記した作用効果は特に有効となる。
【考案を実施するための最良の形態】
【００２８】
以下、上記した本考案に係る商品陳列用トレーを、図面等を参照しながら詳細に説明する。
ここで、図１は、本考案に係る商品陳列用トレーの一実施の形態を示した斜視図、図２は、図１におけるＡ−Ａ線に沿う部分の断面図、図３は、図１におけるＢ−Ｂ線に沿う部分の断面図である。また、図４及び図５は、本考案に係る商品陳列用トレーの他の実施の形態を示した斜視図である。
【００２９】
図示した商品陳列用トレー１は、例えば、串に刺した団子、焼き鳥などの長尺な商品、さらには、天ぷら、おでんの具材等を並べて陳列するのに適したトレーを示している。
【００３０】
このトレー１は、熱可塑性樹脂発泡体によって、例えば、短辺の長さが２０〜４０ｃｍ、長辺の長さが２５〜６０ｃｍの、平面視で矩形状に形成され、図１及び図２に示したように、縦方向（図１及び図２における長手方向）中間部に、段壁２を備え、この段壁２によって、前後２つの商品収容部３ａ，３ｂが分割形成されている。
【００３１】
上記段壁２の上端辺２ａには、図２に示したように、前部商品収容部３ａにおける底壁（前部底壁）４ａの後端辺が連続され、段壁２の下端辺２ｂには、後部商品収容部３ｂにおける底壁（後部底壁）４ｂの前端辺が連続されている。そして、前部及び後部の底壁４ａ，４ｂは、いずれも後方に行くに従って収容部の深さが浅くなるように形成され、かつそれらの底壁４ａ，４ｂは、互いに平行を成すように形成されている。
【００３２】
また、このトレー１では、後部底壁４ｂの後部に、トレー後端辺１ａと平行で、かつ幅方向ほぼ全幅に亘る凹部５が形成され、該凹部５の部分が、底壁４ｂの下方に突出することにより脚部６が構成されており、該脚部６によって、トレー１を陳列台２０に載置した状態で、底壁４ａ，４ｂが、該陳列台２０から適宜な角度αをもって傾斜される。
なお、この傾斜角度αは、陳列した商品の見やすさ等の観点から、５〜３０度が好ましく、更には７〜２０度が好ましい。
【００３３】
また、このトレー１では、前部底壁４ａの後部にも、幅方向ほぼ全幅に亘る第２の凹部７が形成され、該第２の凹部７の部分が、底壁４ａの下方に突出することにより補助脚部８が構成されており、該補助脚部８によって、トレー１の中間部が支持される。
【００３４】
また、このトレーの周壁９は、底壁４ａ，４ｂの周縁から、外方へ拡がるように傾斜して形成されており、その上縁には、外方に拡がるフランジ１０が形成されている。
【００３５】
上記トレー１を形成する熱可塑性樹脂発泡体の基材樹脂としては、ポリスチレン系樹脂、ポリエチレン系樹脂、ポリプロピレン系樹脂、ポリエステル系樹脂等が使用できるが、中でも、比較的安価であり、かつ成形性が良好で、しかも強度も高いことから、ポリスチレン系樹脂が好ましい。
【００３６】
上記ポリスチレン系樹脂とは、スチレンを主体とする重合体をいい、スチレン単独重合体のみならず、スチレンと共重合し得るビニル系単量体とスチレンとの共重合体、例えば、ポリスチレンとスチレン−ブタジエン共重合体、又は前記２種以上の混合物も、本考案において言うポリスチレン系樹脂に含まれる。
【００３７】
本考案に係るトレー１は、上記したポリスチレン系樹脂などから成る熱可塑性樹脂発泡シートの少なくとも上面に、意匠性、耐油性、耐熱性、剛性などを向上させ、更には洗浄を容易にすることができる観点等から、ポリスチレン樹脂、ポリプロピレン樹脂、ポリエチレンテレフタレート樹脂などから成る熱可塑性樹脂フィルムを積層接着した複合シートを、真空成形機等によって熱成形して形成されることが好ましい。
【００３８】
上記トレー１を形成する熱可塑性樹脂発泡体の厚さとしては、軽量性と強度等との観点から、１．３〜４ｍｍが好ましく、更には２〜３ｍｍが好ましい。また、熱可塑性樹脂発泡体の坪量は、同じく軽量性と強度等との観点から、１３０〜２８０ｇ／ｍ2 が好ましく、更には１８０〜２５０ｇ／ｍ2 が好ましい。
なお、上記坪量は、周知の通り、例えば成形品から全厚み×縦１０ｃｍ×横１０ｃｍのサンプルを切り出し、該サンプルの重量（ｇ）を、１００倍することにより求められる値である。
【００３９】
このようにして熱成形されたトレー１は、陳列台２０等に載置され、該トレー１の底壁４ａ，４ｂの上面に、図１及び図２に二点鎖線で示すように、商品、例えば串に刺した団子、焼き鳥、天ぷら、おでんの具材Ｘなどが、並べて載置されて陳列される。
この場合には、トレー１上に並べられた団子、焼き鳥Ｘなどの長尺商品は、適宜な傾斜をもって陳列されるので、見やすいと共に、串の柄Ｙは、凹部５，７上に位置されるため、容易に摘むことができ、商品の取出しが容易なものとなる。
【００４０】
以上、本考案に係る商品陳列用トレーの実施の形態を説明したが、本考案は、何ら既述の実施の形態に限定されず、実用新案登録請求の範囲に記載した本考案の要旨を逸脱しない範囲内において、種々変形及び変更を加え得ることは当然である。
【００４１】
例えば、上記実施の形態では、熱可塑性発泡樹脂シートを熱成形することによってトレー１を形成している。この場合に、凹部５，７は、各々脚部６、補助脚部８に形成されるが、凹部５，７のいずれか一方、又は両方に、脚部６，８とは別に凹部を形成してもよい。即ち、例えば図４に示したように、脚部１２，１２を底壁の左右側部に形成し、それらの脚部１２，１２に形成されるそれぞれの凹部１１ａ，１１ａを繋ぐように浅い凹部１１ｂを更に形成し、全体として幅方向ほぼ全幅に亘る凹部１１としても良く、また、図示は省略したが、傾斜させるための脚部と、商品を摘みやすくするための凹部とを、全く独自に各々形成しても良い。さらに、図５に示したように、補助脚部１４を底壁の左右側部に形成し、これによって形成される凹部１３を、幅方向に断続的なものとしても良い。
【００４２】
また、上記実施の形態では、段壁２を縦方向中間部に１本形成し、底壁を前後２つの商品収容部３ａ，３ｂに分割形成したが、段壁を２本、或いはそれ以上形成し、底壁を更に細かく分割形成したものとしても良い。
【図面の簡単な説明】
【００４３】
【図１】本考案に係る商品陳列用トレーの一実施の形態を示した斜視図である。
【図２】図１におけるＡ−Ａ線に沿う部分の断面図である。
【図３】図１におけるＢ−Ｂ線に沿う部分の断面図である。
【図４】本考案に係る商品陳列用トレーの他の実施の形態を示した斜視図である。
【図５】本考案に係る商品陳列用トレーの更に他の実施の形態を示した斜視図である。
【符号の説明】
【００４４】
１      商品陳列用トレー
１ａ    後端辺
２      段壁
２ａ    上端辺
２ｂ    下端辺
３ａ    前部商品収容部
３ｂ    後部商品収容部
４ａ    前部底壁
４ｂ    後部底壁
５      凹部
６      脚部
７      第２の凹部
８      補助脚部
９      周壁
１０    フランジ
１１    凹部
１１ａ  脚部を形成する凹部
１１ｂ  浅い凹部
１２    脚部
１３    断続的な凹部
１４    脚部
２０    陳列台
Ｘ      串に刺した団子、焼き鳥など
Ｙ      串の柄
【図１】
0003115032.tif 000003
【図２】
0003115032.tif 000004
【図３】
0003115032.tif 000005
【図４】
0003115032.tif 000006
【図５】
0003115032.tif 000007